(57)【要約】      （修正有）【課題】長期間にわたってくり返し使用できる洗い箸を得ることができるようにして、木材資源の無駄使いを大幅に低減することを可能としながら、使用感に優れ、かつ衛生面でも何ら問題のない洗い箸を提供する。【解決手段】基端を６〜１０ｍｍとするとともに先端に向かって細くして先端を２．５〜５ｍｍの太さとし、かつ複数の凹溝をその長さ方向に沿って形成して、該凹溝の山から谷への深さを０．２〜０．５ｍｍの範囲のなだらかな波状としたくり返し洗浄して使用する洗い箸であって、この洗い箸を抗菌剤を練り込んだプラスチック素材で成形したことを特徴とする洗い箸。【選択図】図１
0003142956.tif 000002
【実用新案登録請求の範囲】
【請求項１】
基端を６〜１０ｍｍとするとともに先端に向かって細くして先端を２．５〜５ｍｍの太さとし、かつ複数の凹溝をその長さ方向に沿って形成して、該凹溝の山から谷への深さを０．２〜０．５ｍｍの範囲のなだらかな波状としたくり返し洗浄して使用する洗い箸であって、この洗い箸を抗菌剤を練り込んだプラスチック素材で成形したことを特徴とする洗い箸。
【請求項２】
前記荒い箸の先端の少なくとも食物を挟着する部分が、鏡面加工を施されていることを特徴とする請求項１記載の洗い箸。
【請求項３】
前記抗菌剤が、無機系抗菌剤である銅、亜鉛化合物、銀など、金属イオンの静菌作用を利用したものや、有機系抗菌剤である合成系抗菌剤や天然系抗菌剤から選ばれてなることを特徴とする請求項１または２記載の洗い箸。
【考案の詳細な説明】
【技術分野】
【０００１】
この考案はプラスチック製の箸、特に洗い箸に関するものである。
【背景技術】
【０００２】
従来の洗い箸は、割れや欠け、へこみ、摩擦によって白っぽく変色することなどの不都合が生じた場合、廃棄処分をするしかなかった。
従来、食物を挟みやすくするために図３に示す直角形断面の凹溝２２や、図４に示す三角形断面の凹溝２３を設けた洗い箸２１が知られている。このような凹溝２２，２３を備えた洗い箸においては使用された洗い箸を洗浄する場合、洗い箸の先端部や前記凹溝２２，２３に食物などの汚れがこびりつくと、手洗いでは洗浄しにくくなったり、また食器洗浄機などで水圧によって洗浄する際に食物残渣が残りやすいという問題があった。
【０００３】
そこで一般的な洗い箸における対策としては、前述のような滑り止め用の凸部や凹溝を施すことなく、せいぜいつや消し加工あるいはつや消しを荒くしたようなストーン調のテクスチャー加工を施す程度であった。結果、洗い箸は滑りやすく、いまいち使用感がよくなかった。
【０００４】
さらに、上述のようなつや消し加工やテクスチャー加工を施すと、摩擦から白っぽく変色しやすく劣化して古くなったような状態に見えてしまう。さらにつや消し加工やテクスチャー加工面に雑菌が繁殖しやすく、肝炎やノロウイルスが感染したという事例も報告されている。
【０００５】
なお、本考案者は先に特許第２６８８５９０号公報（特許文献１参照）において、箸を使用する施設において汚れた箸を回収する段階と、この回収された箸を直ちに再利用できる箸と、再生する必要のある箸とに選別する段階と、直ちに再利用できる箸を洗浄する段階、また再生する必要のある箸を粉砕・溶解し再度成形する段階と、上記洗浄ないし再成形された箸を密封包装する段階と、密封包装された箸を上記箸を使用する施設に配送する段階とを有することを特徴とする箸のリサイクルシステムを提案した。
しかしながらこの先行技術は、洗い箸そのものを改良して長期間にわたってくり返し使用できる洗い箸を得ることを直接目的とするものではなかった。
【特許文献１】特許第２６８８５９０号公報
【考案の開示】
【考案が解決しようとする課題】
【０００６】
そこでこの考案は、長期間にわたってくり返し使用できる洗い箸を得ることができるようにして、木材資源の無駄使いを大幅に低減することを可能としながら、使用感に優れ、かつ衛生面でも何ら問題のない洗い箸を提供しようとするものである。
【課題を解決するための手段】
【０００７】
すなわちこの考案の洗い箸は、基端を６〜１０ｍｍとするとともに先端に向かって細くして先端を２．５〜５ｍｍの太さとし、かつ複数の凹溝をその長さ方向に沿って形成して、該凹溝の山から谷への深さを０．２〜０．５ｍｍの範囲のなだらかな波状としたくり返し洗浄して使用する洗い箸であって、この洗い箸を抗菌剤を練り込んだプラスチック素材で成形したことを特徴とするものである。
【０００８】
この考案の洗い箸は、前記荒い箸の先端の少なくとも食物を挟着する部分が、鏡面加工を施されていることをも特徴としている。
【０００９】
この考案の洗い箸は、前記抗菌剤が、無機系抗菌剤である銅、亜鉛化合物、銀など、金属イオンの静菌作用を利用したものや、有機系抗菌剤である合成系抗菌剤や天然系抗菌剤から選ばれてなることをも特徴とするものである。
【考案の効果】
【００１０】
この考案の洗い箸は上述のようにウエーブ加工を施したものである。このウエーブ加工は従来の直角形断面、三角形断面の凹溝と異なり、固形物や麺などの食物をなめらかなウエーブ面が押さえる効果があり、また、手洗いによって洗浄する場合においてもスポンジなどが直接凹溝内に接触して洗いやすく、また、食器洗浄機等によって噴射される水（温水）もくまなく当たるので食物残渣を落としやすいという優れた効果がある。
【００１１】
さらに、衛生面においても先端部が滑らかな曲線であり、また表面も鏡面であるため、食物残渣が残りにくくなることから雑菌が繁殖する懸念はない。しかも洗い箸の素材であるプラスチック自体に抗菌剤（例えばアパタイト銀などの銀イオンを放出するもの）を添加して成型することにより、さらに安全な洗い箸を提供することができるのである。
【００１２】
もちろんこの考案の洗い箸も、前記箸のリサイクルシステムと同様に廃棄される状態の洗い箸をリサイクルして活用する。すなわち、再生原料として活用することを前提とし回収を行うことが望ましい。
このリサイクル用の洗い箸の回収は、洗い箸の成形を行なう生産者、また食堂やレストラン、ケータリングサービスを行う機関等へ洗い箸を供給する販売者、あるいは宅配便、リサイクル業者等の第三者機関に委託して行うことができる。
【００１３】
この考案に使用するプラスチック素材としては、ポリスチレン、ポリプロピレン、ポリエチレン、ポリカーボネイトの外、とうもろこし、さとうきび、じゃがいもから得た樹脂（生分解性樹脂）またはプラスチック同様に、成型や強度に問題がなければ、充填材を多量に含んでいてもよい。
もちろん、前述のように抗菌剤を含有すること、そして該抗菌剤が無機系抗菌剤である銅、亜鉛化合物など、金属イオンの静菌作用を利用したものや、有機系抗菌剤である合成系抗菌剤や天然系抗菌剤から選ばれてなることが望ましい。
【考案を実施するための最良の形態】
【００１４】
以下この考案の洗い箸の実施の形態について、図面に基いて詳細に説明する。
図において、図１はこの考案の洗い箸の１実施例を示す要部拡大図、図２はその先端側の端面図である。
【００１５】
図１および図２においてこの考案の洗い箸１１は、基端部１２の側の太さを６〜１０ｍｍとするとともに、先端に向かって細くして先端部１３を２．５〜５ｍｍの太さとしたものである。この洗い箸１１の各部の太さは、従来の典型的な洗い箸のサイズを表現したものであって、厳密にその範囲を守る必要はない。
そして、複数の凹溝１４がその長さ方向に沿って形成してあり、該凹溝１４の山１５の幅は約３ｍｍ前後、谷１６の幅は約４ｍｍ前後とすることができる。もちろんこの幅は、飲食の対象とする食物ごとの用途や使用者の好み、あるいは強度等を勘案して適宜決定することができる。
【００１６】
該凹溝１４の山１５から谷１６への深さは０．２〜０．５ｍｍの範囲のなだらかな波状としたものである。
このように、凹溝１４の山１５から谷１６への深さの０．２〜０．５ｍｍという範囲としたのは、当該部分の洗い箸１１の太さに対し、前記凹溝１４の深さが約１／１０〜１／５程度の範囲であることが望ましいのであって、前期凹溝１４と洗い箸１１の太さとの相対的な関係を考慮する必要がある。
【００１７】
また前記荒い箸１１の先端の少なくとも食物を挟着する部分に凹溝１４が形成してあるので、当該部分に鏡面加工を施しておけば、より一層手洗いによる洗浄の場合や食器洗浄機等による噴射すいによる洗浄の場合に、確実に食物残渣を落とすことができるので極めて衛生的である。
【００１８】
この考案の洗い箸１１は、プラスチック素材に適宜抗菌剤を混練して配合してある。この抗菌剤としては、無機系抗菌剤である銅、亜鉛化合物、銀など、金属イオンの静菌作用を利用したものや、有機系抗菌剤である合成系抗菌剤や天然系抗菌剤から選ぶことができる。
特にその例として、アパタイト銀などの銀イオンを放出する抗菌剤を好適に使用することができる。
【００１９】
この考案の洗い箸１１は、その長さ方向に沿って前記凹溝１４が設けてある。この凹溝１４は先端部１３の物を挟む挟着機能を高めて物を挟みやすくし、また表面積を大きくしているのでうどんやそば、ラーメンなどを食するときのつゆを保持してそれらをおいしく食することができるようにも機能する。
なお、前記洗い箸１１は図２に示すようにほぼ四角形断面に成形してある。このようにほぼ四角形断面に成形することにより、テーブル上を転がり落ちることがなく、しかも手になじんで持ちやすい洗い箸とすることができる。もちろん、ウエーブ加工を施した点がこの考案の特徴であるので、この考案を洗い箸１１を四角形断面のものに限定するものではない。
【産業上の利用可能性】
【００２０】
以上においてはリサイクル可能な洗い箸として説明したが、リサイクルを目的としない洗い箸として使用してもよく、また食事の際以外の用途に使用してもよいことはもちろんである。
【図面の簡単な説明】
【００２１】
【図１】この考案の洗い箸の１実施例を示す要部拡大図である。
【図２】その先端側の端面図である。
【図３】従来例の要部拡大断面図である。
【図４】別の従来例の要部拡大断面図である。
【符号の説明】
【００２２】
１１  洗い箸
１２  基端部
１３  先端部
１４  凹溝
１５  山
１６  谷
【図１】
0003142956.tif 000003
【図２】
0003142956.tif 000004
【図３】
0003142956.tif 000005
【図４】
0003142956.tif 000006